【手続補正書】
【提出日】平成19年10月3日(2007.10.3)
【手続補正１】
【補正対象書類名】明細書
【補正対象項目名】発明の名称
【補正方法】変更
【補正の内容】
【発明の名称】撮像装置、撮像装置の制御方法
【手続補正２】
【補正対象書類名】明細書
【補正対象項目名】特許請求の範囲
【補正方法】変更
【補正の内容】
【特許請求の範囲】
【請求項１】  被写体を撮像し画像データを得る撮像手段と、
外部装置と通信しデータの送受信を行う通信手段と、
前記撮像手段により得られた画像データ及び前記通信手段により前記外部装置から受信したデータを記憶する記憶手段と、
前記記憶手段の残量と、前記撮像手段による撮像と前記通信手段による通信とが同時に行われた場合に前記撮像により得られる画像データの容量及び前記通信により得られるデータの容量とに基づき、前記記憶手段に記憶されたデータを削除するか否かを決定する決定手段と、
前記記憶手段に記憶されたデータを削除する削除手段とを有することを特徴とする撮像装置。
【請求項２】  前記記憶手段の残量と、前記撮像手段による撮像と前記通信手段による通信とが同時に行われた場合に前記撮像により得られる画像データの容量及び前記通信により得られるデータの容量とに基づき、前記記憶手段に記憶されたデータを伝送する伝送手段を有し、
前記削除手段は、前記伝送手段によりデータを伝送した後に前記記憶手段に記憶されたデータを削除することを特徴とする請求項１に記載の撮像装置。
【請求項３】  前記削除手段により削除されるデータを選択する選択手段を有することを特徴とする請求項１又は２に記載の撮像装置。
【請求項４】  前記選択手段による選択は、前記記憶手段に記憶されたデータに対応する時間情報、アクセス頻度、マーキング情報、色数情報の少なくとも１つに基づき行うことを特徴とする請求項３に記載の撮像装置。
【請求項５】  前記通信手段は、前記外部装置との通信を無線通信で行うことを特徴とする請求項１乃至４のいずれか１項に記載の撮像装置。
【請求項６】  前記決定手段は、シャッタボタンが半押しの状態、シャッタボタンが全押しの状態、撮影可能なモードである状態の少なくとも１つに該当する際に、前記記憶手段に記憶されたデータを削除するか否かを決定することを特徴とする請求項１乃至５のいずれか１項に記載の撮像装置。
【請求項７】  被写体を撮像し画像データを得る撮像工程と、
外部装置と通信しデータの送受信を行う通信工程と、
前記撮像工程で得られた画像データ及び前記通信工程で前記外部装置から受信したデータを記憶部に記憶する記憶工程と、
前記記憶装置の残量と、前記撮像工程での撮像と前記通信工程での通信とが同時に行われた場合に前記撮像により得られる画像データの容量及び前記通信により得られるデータの容量とに基づき、前記記憶部に記憶されたデータを削除するか否かを決定する決定工程と、
前記記憶部に記憶されたデータを削除する削除工程とを有することを特徴とする撮像装置の制御方法。
【手続補正３】
【補正対象書類名】明細書
【補正対象項目名】０００１
【補正方法】変更
【補正の内容】
【０００１】
【発明の属する技術分野】
本発明は、通信機能を備えたディジタルカメラ等の撮像装置、撮像装置の制御方法に関するものである。
【手続補正４】
【補正対象書類名】明細書
【補正対象項目名】００１０
【補正方法】変更
【補正の内容】
【００１０】
そこで、本発明は、上記の欠点を除去するために成されたもので、小型化及び撮影の即時性を保ちながら性能の向上を図ることが可能な撮像装置を提供することを目的とする。
【手続補正５】
【補正対象書類名】明細書
【補正対象項目名】００１１
【補正方法】変更
【補正の内容】
【００１１】
【課題を解決するための手段】
かかる目的において、本発明に係る撮像装置は、被写体を撮像し画像データを得る撮像手段と、外部装置と通信しデータの送受信を行う通信手段と、前記撮像手段により得られた画像データ及び前記通信手段により前記外部装置から受信したデータを記憶する記憶手段と、前記記憶手段の残量と、前記撮像手段による撮像と前記通信手段による通信とが同時に行われた場合に前記撮像により得られる画像データの容量及び前記通信により得られるデータの容量とに基づき、前記記憶手段に記憶されたデータを削除するか否かを決定する決定手段と、前記記憶手段に記憶されたデータを削除する削除手段とを有することを特徴とする。
【手続補正６】
【補正対象書類名】明細書
【補正対象項目名】００１２
【補正方法】変更
【補正の内容】
【００１２】
本発明に係る撮像装置の制御方法は、被写体を撮像し画像データを得る撮像工程と、外部装置と通信しデータの送受信を行う通信工程と、前記撮像工程で得られた画像データ及び前記通信工程で前記外部装置から受信したデータを記憶部に記憶する記憶工程と、前記記憶装置の残量と、前記撮像工程での撮像と前記通信工程での通信とが同時に行われた場合に前記撮像により得られる画像データの容量及び前記通信により得られるデータの容量とに基づき、前記記憶部に記憶されたデータを削除するか否かを決定する決定工程と、前記記憶部に記憶されたデータを削除する削除工程とを有することを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】